【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
低周波治療器であって、
前記低周波治療器の位置での気圧または気温を取得する取得部と、
低周波治療を行う治療部と、
前記取得部により取得された前記気温または前記気圧が第１閾値よりも低いと判断した場合に、前記低周波治療の強度を強めるように調整する調整部とを備える、低周波治療器。
【請求項２】
低周波治療器であって、
前記低周波治療器の位置での気圧または気温を取得する取得部と、
低周波治療を行う治療部と、
前記取得部により取得された前記気温または前記気圧が第２閾値よりも高いと判断した場合に、前記低周波治療の強度を弱めるように調整する調整部とを備える、低周波治療器。
【請求項３】
前記低周波治療器は、治療用電流を生成し、
前記調整部は、前記低周波治療の強度を強める処理として、前記治療用電流の波形の振幅を増加させる処理を実行する、請求項１に記載の低周波治療器。
【請求項４】
前記治療部は、温熱治療を行うことが可能であり、
前記調整部は、前記取得部により取得された前記気温または前記気圧が前記第１閾値よりも低いと判断した場合に、前記温熱治療の強度を強めるように調整する、請求項１または請求項３に記載の低周波治療器。
【請求項５】
前記取得部により取得された前記気温または前記気圧が前記第１閾値よりも低くなると判断された場合に、該気温または該気圧が前記第１閾値よりも低くなる時期に外出を控える旨を通知する第１通知部をさらに備える、請求項１、請求項３、および請求項４のいずれか１項に記載の低周波治療器。
【請求項６】
位置情報の入力を受付ける位置情報受付手段をさらに備え、
前記取得部は、前記位置情報受付手段が入力を受付けた前記位置情報が示す位置での気圧または気温を取得し、
前記取得部により取得された前記位置情報が示す位置での前記気温または前記気圧が前記第１閾値よりも低いと判断された場合に、ユーザの身体の痛みが増加する可能性があることを通知する第２通知部をさらに備える、請求項１、および請求項３〜請求項５のいずれか１項に記載の低周波治療器。
【請求項７】
第２閾値は、前記第１閾値よりも大きく、
前記調整部は、前記取得部により取得された前記気温または前記気圧が前記第２閾値よりも高いと判断した場合に、前記低周波治療の強度を弱めるように調整する、請求項１、および請求項３〜請求項６のいずれか１項に記載の低周波治療器。
【請求項８】
前記治療部は、温熱治療を行うことが可能であり、
前記調整部は、前記取得部により取得された前記気温または前記気圧が前記第２閾値よりも高いと判断した場合に、前記温熱治療の強度を弱めるように調整する、請求項２に記載の低周波治療器。
【請求項９】
前記低周波治療の強度を調整する第１モードと、前記低周波治療の強度を調整しない第２モードとのうち、設定するモードをユーザから受付ける受付部をさらに備える、請求項１〜請求項８のいずれか１項に記載の低周波治療器。
【手続補正２】
【補正対象書類名】明細書
【補正対象項目名】発明の名称
【補正方法】変更
【補正の内容】
【発明の名称】低周波治療器
【手続補正３】
【補正対象書類名】明細書
【補正対象項目名】０００１
【補正方法】変更
【補正の内容】
【０００１】
本開示は、低周波治療器に関する。
【手続補正４】
【補正対象書類名】明細書
【補正対象項目名】０００５
【補正方法】変更
【補正の内容】
【０００５】
本開示は、上記のような実情に鑑みてなされたものであって、ある局面における目的は、ユーザの利便性を向上させる低周波治療器を提供することである。
【手続補正５】
【補正対象書類名】明細書
【補正対象項目名】００４６
【補正方法】変更
【補正の内容】
【００４６】
また、２回目以降の図８の処理は、所定時間（たとえば、１分）ごとに実行される。また、Ｓ１０８の処理が１回でも実行された場合には、図８の処理は実行されなくなる。たとえば、Ｓ１０８の処理が実行された場合には、低周波治療の調整が実行されたことを示す調整済フラグが所定領域に格納される。所定領域とは、たとえば、メモリ２２０内のＲＡＭである。この調整済フラグが格納されている場合には、図８の処理は実行されない。この調整済フラグは、たとえば、低周波治療器２００の電源がオフされた場合に、消去される。
【手続補正６】
【補正対象書類名】明細書
【補正対象項目名】００５２
【補正方法】変更
【補正の内容】
【００５２】
図６を用いて、実施形態２の低周波治療器２００のプロセッサ２１０の機能構成例を説明する。取得部３０２は、低周波治療器２００が位置する場所の気温（温度）を取得する。このように、本実施形態２では、取得部３０２は、気温を取得する気温取得部として機能する。本実施形態では、取得部３０２は、低周波治療器２００の位置を示す位置情報を取得する。該取得部３０２は、たとえば、ＧＰＳ機能（Global Positioning System）を用いて、該位置情報を取得する。取得部３０２は、該位置情報を通信インターフェイス２４５およびネットワーク４１を経由して、気象サーバ３０に対して送信する。気象サーバ３０は、該位置情報を受信すると、テーブル３４で規定されている位置情報であって、該受信した位置情報と最も近い位置情報に対応する気温、または該受信した位置情報と同一の位置情報に対応する気温を抽出する。気象サーバ３０は、該抽出した気温を気温情報として低周波治療器２００に対して送信する。取得部３０２は、ネットワーク４１と通信インターフェイス２４５とを経由して、該送信された気温情報を取得する。
【手続補正７】
【補正対象書類名】明細書
【補正対象項目名】００６５
【補正方法】変更
【補正の内容】
【００６５】
また、本実施形態３では、気象サーバ３０は、位置情報と、該位置情報における複数の時間帯と、該時間帯での気圧とが対応付けられたテーブル３６を有する。図１１は、該テーブル３６の一例を示したものである。図１１の例での位置情報は、経度Ｘと緯度Ｙとを含む。また、時間帯は、所定期間を所定時間（たとえば１時間）単位で分割したものである。所定期間とは、たとえば、如何なる期間であってもよいが、たとえば、ユーザが外出すると予測される期間とする。ユーザが外出すると予測される期間とは、たとえば、朝６時〜深夜１２時までの期間とする。
【手続補正８】
【補正対象書類名】明細書
【補正対象項目名】００６６
【補正方法】変更
【補正の内容】
【００６６】
図１１の例では、経度Ｘ１、緯度Ｙ１となる位置情報において、Ｔ１時〜Ｔ２時までの時間帯（時間間隔は１時間）では、Ｚ１（ｈＰａ）が対応付けられており、Ｔ２時〜Ｔ３時（時間間隔は１時間）までの時間帯では、Ｚ２（ｈＰａ）が対応付けられている。同様に、経度Ｘ２、緯度Ｙ２となる位置情報において、Ｔ１時〜Ｔ２時までの時間帯（時間間隔は１時間）では、Ｚ３（ｈＰａ）が対応付けられており、Ｔ２時〜Ｔ３時（時間間隔は１時間）までの時間帯では、Ｚ４（ｈＰａ）が対応付けられている。また、各位置情報については、他の時間についても気圧が規定されている。また、他の位置情報についても時間帯、および気圧が規定されている。
【手続補正９】
【補正対象書類名】明細書
【補正対象項目名】０１０８
【補正方法】変更
【補正の内容】
【０１０８】
図２０は、実施の形態１にかかる低周波治療器２０の外観を端末装置１０と関連付けて示す図である。図２０を参照して、低周波治療器２０は、パッド２、ホルダ７、および本体部４を備える。低周波治療器２０は、いわゆるコードレスタイプであり、端末装置１０から受信する制御情報に従い制御される。
【手続補正１０】
【補正対象書類名】明細書
【補正対象項目名】０１３３
【補正方法】変更
【補正の内容】
【０１３３】
また、特定部材を用いた低周波治療器において、温度が下がると、特定部材も冷えることから、ユーザが意図している治療（たとえば、温熱治療）が出来なくなる場合がある。そこで、本変形例の低周波治療器は、該特定部材を暖めるための処理を実行する。該特定部材を暖めるための処理とは、たとえば、電流の極性を変える処理、および電流の大きさを変える処理のうち少なくとも１の処理である。